(57)【要約】【課題】伝送路推定せずに多数のアンテナを用いた最適なビーム照射が行えること。【解決手段】基地局装置１００は、複数のアンテナ１２３と、複数のアンテナ１２３毎に異なる位相の系列を信号にかけてアンテナ１２３を介してエリア内の移動局１５０に向けて全方向均一に電波送信する送信部１２０ａと、を備える。送信部１２０ａは、移動局１５０から特定の系列の情報の通知を受けて、移動局装置１５０に対し特定の系列の位相を用いたビームフォーミングを行う。【選択図】図２
2018050214.tif 000002
【特許請求の範囲】
【請求項１】
複数のアンテナと、
前記複数のアンテナ毎に異なる位相の系列を信号にかけて前記アンテナを介してエリア内の移動局装置に向けて全方向均一に電波送信する送信部と、を備え、
前記送信部は、前記移動局装置から特定の系列の情報の通知を受けて、前記移動局装置に対し前記特定の系列の位相を用いたビームフォーミングを行うことを特徴とする基地局装置。
【請求項２】
前記送信部は、前記系列の信号を間欠的に送信し、
前記移動局装置から通知された特定の系列の位相に基づくビームフォーミング行列を生成し、前記移動局装置へのビーム方向を決定することを特徴とする請求項１に記載の基地局装置。
【請求項３】
前記送信部は、前記系列として、直交系列、アンテナ数に対して十分に相関を持たない長周期のＧｏｌｄ符号、Ｚａｄｏｆｆ−ｃｈｕ系列のいずれかであることを特徴とする請求項１または２に記載の基地局装置。
【請求項４】
前記移動局装置が前記系列の受信により、空間多重信号のなかから自移動局装置に対する固有位相を検出する相関演算により電力が最大となる系列を前記特定の系列とした情報の通知を受ける受信部を備え、
前記送信部は、前記受信部が受信した前記特定の系列の情報に基づくビームフォーミングを行うことを特徴とする請求項１〜３のいずれか一つに記載の基地局装置。
【請求項５】
前記受信部は、前記移動局装置から送信されるパケットデータユニットの一部領域に格納された前記特定の系列の情報を受信することを特徴とする請求項４に記載の基地局装置。
【請求項６】
前記受信部は、前記移動局装置から間欠的にデータ疎通を止めた際、あるいは、周期的に送信するＳｏｕｎｄｉｎｇＲＳにより、前記特定の系列の情報を受信することを特徴とする請求項４または５に記載の基地局装置。
【請求項７】
前記受信部は、前記移動局装置から受けた前記特定の系列の情報をデコードし、ビームフォーミングに用いる系列を求めることを特徴とする請求項４に記載の基地局装置。
【請求項８】
前記送信部は、前記系列の信号を前記アンテナを介してエリア内の移動局装置に向けて全方向均一に電波送信する制御を周期的に繰り返すことを特徴とする請求項１〜７のいずれか一つに記載の基地局装置。
【請求項９】
前記送信部は、前記移動局装置との初期接続処理、およびデータ疎通中に取得した複数の前記移動局装置の送信電力に基づき、自基地局装置から複数の前記移動局装置間の距離を推定し、前記距離が遠い前記移動局装置に対する符号拡散率を高くすることを特徴とする請求項１〜８のいずれか一つに記載の基地局装置。
【請求項１０】
前記送信部は、前記移動局装置を距離に応じてグループ化し、当該グループごとに自基地局装置からの距離が遠いグループの符号拡散率を高くすることを特徴とする請求項９に記載の基地局装置。
【請求項１１】
前記送信部は、前記移動局装置に対するビームフォーミングを行った後、前記移動局装置の移動に対応して、前記移動局装置への送信データの位相を一定時間毎に所定位相角度で回転させ、前記移動局装置から通知された品質報告値が最良の位相回転量を決定することを特徴とする請求項１〜１０のいずれか一つに記載の基地局装置。
【請求項１２】
前記送信部は、前記移動局装置の移動速度を推定し、当該移動速度に応じた前記位相回転量、および前記移動局装置から通知を受ける受信品質の報告周期を可変することを特徴とする請求項１１に記載の基地局装置。
【請求項１３】
前記送信部および前記アンテナは、ＭａｓｓｉｖｅＭＩＭＯ方式に基づく系列数とアンテナ数を有することを特徴とする請求項１〜１１のいずれか一つに記載の基地局装置。
【請求項１４】
複数のアンテナを有する基地局装置から複数の系列の信号を受信する受信部を有し、
前記受信部は、前記基地局装置から受信した全系列の信号により、空間多重信号のなかから自移動局装置に対する固有位相を検出する相関演算により電力が最大となる特定の系列を求め、送信部を介して前記特定の系列の情報を前記基地局装置に通知することを特徴とする移動局装置。
【請求項１５】
複数のアンテナを有しビームフォーミングする基地局装置から移動局装置への信号の送信制御方法であって、
前記基地局装置は、
前記複数のアンテナ毎に異なる位相の系列を信号にかけて前記アンテナを介してエリア内の移動局装置に向けて全方向均一に電波送信し、
前記移動局装置から特定の系列の情報の通知を受けて、前記移動局装置に対し前記特定の系列の位相を用いたビームフォーミングを行う、
ことを特徴とする送信制御方法。
【請求項１６】
前記移動局装置は、
前記基地局装置から受信した全系列の信号により、空間多重信号のなかから自移動局装置に対する固有位相を検出する相関演算により電力が最大となる特定の系列を求め、当該特定の系列の情報を前記基地局装置に通知する、
ことを特徴とする請求項１５に記載の送信制御方法。
【発明の詳細な説明】
【技術分野】
【０００１】
本発明は、相互に通信を行なう基地局装置、移動局装置および送信制御方法に関する。
【背景技術】
【０００２】
従来、基地局が放射するビームで形成されるセルは、ビームフォーミングなしで指向性を持たない同心円状や、ビームフォーミングを行って指向性を有するものがある。ビームフォーミングなしの場合、基地局を中心として全方向に均一に電波を照射しており、特定の移動局に対してのみ信号電力を強調して送ることはできない。
【０００３】
また、ビームフォーミングを行う場合、移動局への最適なビーム方向を決めるために、基地局は、移動局からの電波受信時に受信波から伝送路推定を行い、推定した伝送路により特異値分解と複雑な行列演算を行う。この後、最適なビーム方向を決める行列（ビームフォーミング行列）を総当たりで探す演算を行っている（例えば、下記特許文献１〜４参照。）。ビームフォーミング行列の演算は、アンテナ数に対応する行列演算となるが、少ないアンテナ数（例えば、４×４ＭＩＭＯ）の場合に演算可能であり、アンテナ数が増えると、アンテナ毎の伝送路推定が必要になり、実現不可能な演算量になる。
【０００４】
移動体通信のトラヒック増大によるシステムの高速化および大容量化には、高周波大規模通信（マッシブマイモ：ＭａｓｓｉｖｅＭＩＭＯ）技術が有効である（例えば、下記特許文献１参照。）。ＭＩＭＯは、Ｍｕｌｔｉ  Ｉｎｐｕｔ  Ｍｕｌｔｉ  Ｏｕｔｐｕｔの略である。ＭａｓｓｉｖｅＭＩＭＯでは、指向性の高いミリ波帯を使用し、上記のビームフォーミング技術よりさらに多数のアンテナ（１６，６４，２５６アンテナ）を用いてビーム形成を行う。そして、基地局は、特定の移動局に対して強い電力で電波照射し、かつ特定の移動局以外の箇所には電波を照射しない（ＮＵＬＬに近くなる）ように制御することで、スループットを向上させている。
【先行技術文献】
【特許文献】
【０００５】
【特許文献１】特開２０１３−２３２７４１号公報
【特許文献２】国際公開第２００６／１２３４１８号
【特許文献３】特開２０１５−１８５９５３号公報
【特許文献４】特開２０１５−１８５９５２号公報
【発明の概要】
【発明が解決しようとする課題】
【０００６】
上述したＭａｓｓｉｖｅＭＩＭＯにおいて、基地局は、移動局の方向を特定した後、上述したビームフォーミングと同様に伝送路推定し、最適なビームフォーミング行列を演算する場合、伝送路推定の演算量が膨大となる。例えば、ビームフォーミング行列の演算で特定の移動局に対して強い電力で電波照射し、かつ特定の移動局以外の箇所には電波を照射しない（ＮＵＬＬに近くなる）制御を行うため、さらに多数のアンテナとなると伝送路推定の演算量が膨大となる。
【０００７】
また、初期照射ビームが外れた場合には、伝送路推定が行えず、最適なビーム方向を決定するのに膨大な時間がかかることになる。多数のアンテナを用いたビームは、ほぼ直線状であり、移動局に対するビームが外れていると、例えば受信品質を示すＣＱＩ＝０のままとなり、移動局からのＲＳＳＩ（移動局側受信電力値）も小さいまま変動がないことになる。ＣＱＩは、Ｃｈａｎｎｅｌ  Ｑｕａｌｉｔｙ  Ｉｎｄｉｃａｔｏｒの略である。このため、特定の移動局に最適なビームフォーミング行列（ビーム照射方向とＮＵＬＬの決定）を、効率的に算出する技術が要望されている。
【０００８】
一つの側面では、本発明は、伝送路推定せずに多数のアンテナを用いた最適なビーム照射が行えることを目的とする。
【課題を解決するための手段】
【０００９】
一つの案では、基地局装置は、複数のアンテナと、前記複数のアンテナ毎に異なる位相の系列を信号にかけて前記アンテナを介してエリア内の移動局装置に向けて全方向均一に電波送信する送信部と、を備え、前記送信部は、前記移動局装置から特定の系列の情報の通知を受けて、前記移動局装置に対し前記特定の系列の位相を用いたビームフォーミングを行うことを要件とする。
【発明の効果】
【００１０】
一つの実施形態によれば、伝送路推定せずに多数のアンテナを用いた最適なビーム照射が行えるという効果を有する。
【図面の簡単な説明】
【００１１】
【図１】図１は、実施の形態の基地局装置および移動局装置を含むシステム構成の主要構成部を示す図である。
【図２】図２は、実施の形態の基地局装置および移動局装置を含むシステム構成例を示す図である。
【図３】図３は、実施の形態のシステムによる送信制御の処理例を示すフローチャートである。
【図４】図４は、実施の形態のシステムによる基地局と移動局の通信接続のシーケンス図である。
【図５】図５は、実施の形態の基地局が行う全アンテナから異なる系列の送信を行う処理を説明する図である。
【図６】図６は、実施の形態の移動局が行う基地局からの系列情報の受信処理を説明する図である。
【図７Ａ】図７Ａは、実施の形態の系列による位相推定の一例を説明する図表である。（その１）
【図７Ｂ】図７Ｂは、実施の形態の系列による位相推定の一例を説明する図表である。（その２）
【図８】図８は、実施の形態の位相回転による移動局追従の処理例を示すフローチャートである。
【図９】図９は、実施の形態の位相回転による移動局毎の最適位相の検出処理例を説明する図である。
【図１０】図１０は、実施の形態の位相回転および速度による移動局毎の最適位相の検出処理例を示すフローチャートである。
【図１１】図１１は、実施の形態の位相回転および速度による移動局毎の最適位相の検出処理例を説明する図である。
【図１２】図１２は、実施の形態の基地局が行う移動局までの距離推定に基づく符号拡散率の制御を説明する図である。
【図１３】図１３は、実施の形態の基地局が行う移動局までの距離推定に基づく符号拡散率の設定例を示す図表である。
【発明を実施するための形態】
【００１２】
（実施の形態）
図１は、実施の形態の基地局装置および移動局装置を含むシステム構成の主要構成部を示す図である。システム１００は、移動体通信網（ａｉｒ）１１０を介して互いに無線通信を行う基地局１２０と、移動局１５０と、を含む。そして、実施の形態の構成は、ＭａｓｓｉｖｅＭＩＭＯ等の多数のアンテナを用いた送信側の装置（例えば、基地局１２０）に適用する構成を説明する。
【００１３】
上述したように、アンテナ数が多くなると伝送路推定の演算量が膨大になるため、実施の形態の基地局１２０では伝送路推定は行わない。そして、実施の形態の基地局１２０は、移動局１５０の位相検出を行い、検出した位相を基に最適なビームを求める。このように、伝送路推定を行わない構成によれば、将来の５Ｇの通信において、下りトラヒックのみのセルを用いた送信にも適用することができる。
【００１４】
基地局１２０は、複数系列の信号を生成する信号生成部（図示略）と、シーケンスジェネレータ（Ｓｅｑ．Ｇｅｎ．）１２１と、系列毎の乗算器１２２と、アンテナ１２３と、を含む。図１では、簡略化のため、系列数は４とし、基地局１２０は４つの送信のアンテナ１２３としている。
【００１５】
信号生成部で生成された異なる４つの位相（φ１〜φ４）の信号は、乗算器１２２によりシーケンスジェネレータ１２１が生成した異なる系列情報と乗算され、４つの位相を持つ異なる系列情報（系列信号）を図示しない送信部を介してそれぞれアンテナ１２３に出力する。４つのアンテナ１２３は、異なる位相の系列信号を基地局１２０を中心として全方向均一（ビームフォーミングなし）で電波を送信する。
【００１６】
移動局１５０は、アンテナ１５１と、コリレータ（Ｃｏｒｒｅｌａｔｏｒ）１５２と、を含む。アンテナ１５１は、基地局１２０から送信された４つの位相を持つ全ての系列情報を受信し、コリレータ１５２は、全系列情報の相関演算により最大電力となる系列情報を特定する。コリレータ１５２は、マッチドフィルタ（ＭＦ）１６１と、積分器（Ｉｎｔｅｇｒａｌ）１６２と、ピーク検出器（Ｐｅａｋ  ｄｅｔ．）１６３と、を含む。
【００１７】
コリレータ１５２による相関演算の機能は、既存の相関器を用いて構成できる。例えば、シフトメモリ１７１と、シフトメモリのメモリ個数に対応する数の乗算器１７２、および乗算器１７２の出力を加算する加算器１７３と、を有する機能により実現できる。図１の構成例では、４アンテナ送信のため、４つの位相を持つ系列に対する相関演算処理を行う。
【００１８】
コリレータ１５２は、受信した４つの系列情報を複数メモリのシフトメモリ１７１で順次シフトし、シフト毎に予め既知の系列情報と乗算器１７２で乗算し、全乗算器１７２の出力を加算器１７３で加算する。加算器１７３の出力は、最大電力の系列（図示の例では位相φ１）ｐｋを検出する。図示の符号１００ｐｋ部分には、加算器１７３が出力する横軸（時間）、縦軸電力（ｐ）で一つの系列情報（φ１）のピーク検出状態を示している。
【００１９】
そして、移動局１５０は、電力が最大となった系列情報（例えば、φ１）の系列番号（Ｓｅｑ．）の基地局１２０にフィードバック返信する（ＦＢ）。基地局１２０側では、移動局１５０から受信した系列情報を復号する。
【００２０】
これにより基地局１２０は、セル内の特定の移動局１５０に対して最適な系列（Ｓｅｑ．）を知ることができ、基地局１２０が系列情報を送信したときの位相が、特定の移動局１５０に対して最適な位相であることを判断できるようになる。
【００２１】
そして、基地局１２０では、特定の移動局１５０に対する最適な位相（φ１）が判断できれば、特定の移動局１５０の方向も判断できる。したがって、この後、基地局１２０は、最適とした位相（φ１）を用いてビームを照射することで、特定の移動局１５０に対して最適なビームでデータを送信できるようになる。
【００２２】
以上のように、実施の形態によれば、伝送路推定は行わずに、セル内の移動局１５０毎に最適なビーム照射を行えるようになる。また、使用する系列を基地局１２０からの距離毎に、すなわち移動局１５０の所定の位相値毎にグループ化し、距離の遠い位相値にあるグループに属する複数の移動局１５０に対しては符号拡散率を高くしてもよい。これにより、意図しないビームの歪みを抑えて移動局１５０毎の位相を容易に特定できるようになる。
【００２３】
上記において、基地局１２０は、初期の照射ビーム特定後、移動する移動局１５０の追従については、上述した処理による特定の処理を繰り返し行うことで、移動局１５０の移動にも追従できる。
【００２４】
このほかの移動局１５０の追従の他の方法としては、移動局１５０へ送信するダウンリンク（Ｄｏｗｎｌｉｎｋ）信号には、専用のＲＳ（Ｒｅｆｅｒｅｎｃｅ  Ｓｉｇｎａｌ、ＣＳＩ−ＲＳ，移動局−ＲＳ）が用意されている。ＣＳＩは、Ｃｈａｎｎｅｌ  Ｓｔａｔｅ  Ｉｎｆｏｒｍａｔｉｏｎ（チャネル状態情報）の略である。このＲＳを用いて、移動局１５０毎のＤｏｗｎｌｉｎｋ方向の品質を知ることができ、特定の移動局１５０の位相を検出する。基地局１２０は、移動局１５０の無線状態を周期的にチェックすることで、移動局１５０の無線状態に応じたビーム追従を行うことができる。
【００２５】
図２は、実施の形態の基地局装置および移動局装置を含むシステム構成例を示す図である。図１と同様の構成部には同一の符号を付してある。基地局１２０は、送信部１２０ａと、受信部１２０ｂと、を含む。
【００２６】
送信部１２０ａは、入力インタフェース（ＩＦ）２０１、スクランブル部（Ｓｃｒａｍｂｌｉｎｇ）２０２、変調部（Ｍｏｄｕｌａｔｉｏｎ）２０３、レイヤマッピング部（Ｌａｙｅｒ  Ｍａｐｐｉｎｇ）２０４、を含む。また、プリコーディング部（Ｐｒｅ−ｃｏｄｉｎｇ）２０５、リソースエレメント（ＲＥ：Ｒｅｓｏｕｒｃｅ  Ｅｌｅｍｅｎｔ）マッピング部２０６、ＯＦＤＭ信号生成部（ＯＦＤＭｓｙｍｂ．Ｇｅｎ）２０７、を含む。
【００２７】
基地局１２０には、入力ＩＦ２０１を介して信号が入力され、例えば、信号をシリアル−パラレル変換して出力する。１〜ｎのパラレルの各信号は、それぞれスクランブル部２０２でスクランブル（符号化等）処理される。スクランブル部２０２は、例えば、入力されるビットを畳込み符号、ターボ符号、ＬＤＰＣ（Ｌｏｗ  Ｄｅｎｓｉｔｙ  Ｐａｒｉｔｙ  Ｃｈｅｃｋ；低密度パリティ検査）符号などの誤り訂正符号を用いて符号化し、符号化ビットを生成する。
【００２８】
変調部２０３は、入力される符号化ビットを、各種変調方式で変調し、変調シンボルを生成する。変調方式としては、例えば、ＱＰＳＫ（Ｑｕａｄｒａｔｕｒｅ  Ｐｈａｓｅ  Ｓｈｉｆｔ  Ｋｅｙｉｎｇ；４相位相変調）、Ｍ−ＱＡＭ（Ｍ−Ｑｕａｄｒａｔｕｒｅ  Ａｍｐｌｉｔｕｄｅ  Ｍｏｄｕｌａｔｉｏｎ；Ｍ値直交振幅変調、例えば、Ｍ＝４、１６、６４、２５６、１０２４、４０９６）などがある。
【００２９】
レイヤマッピング部２０４は、入力される変調シンボルを、複数ｎストリームのいずれかにマッピングし、プリコーディング部２０５に出力する。プリコーディング部２０５は、入力される変調シンボルに対するプリコーディングを行う。ＲＥマッピング部２０６は、プリコーディングされた変調シンボルをリソースエレメントにマッピングし、マッピングしたリソースエレメントのシンボルをＯＦＤＭ信号生成部２０７に出力する。
【００３０】
ＯＦＤＭ信号生成部２０７は、ＲＥマッピング部２０６から入力されるシンボルに周波数時間変換を行い、時間領域の信号を生成する。具体的に、周波数時間変換にはＩＦＦＴ（Ｉｎｖｅｒｓｅ  Ｆａｓｔ  Ｆｏｕｒｉｅｒ  Ｔｒａｎｓｆｏｒｍ；逆高速フーリエ変換）を用いることができる。
【００３１】
受信部１２０ｂは、アンテナ２１０、デモジュレーション部（ＤＥＭ）２１１、デコード部（ＤＥＣ）２１２、コリレータ１５２、を含む。デコード部２１２は、ターボ復号部２１３、ＣＲＣ部２１４等を含む。これらターボ復号、ＣＲＣチェック等を行い、信号を復号する。アンテナ２１０を介して移動局１５０から受信した信号は、デモジュレーション部２１１で復調し、デコード部２１２で復号して出力する。
【００３２】
移動局１５０は、受信部１５０ａとして、サーチ部（ＳＥＡ）２２１と、デモジュレーション部（ＤＥＭ）２２２と、デコード部（ＤＥＣ）２２３、とを含む。また、送信部１５０ｂとして、符号化部（ＣＯＤ）２３２と、変調部（ＭＯＤ）２３３と、を含む。
【００３３】
以上説明した図２の各構成は、既存の基地局１２０、移動局１５０の構成である。そして、実施の形態では、基地局１２０については、送信部１２０ａのＯＦＤＭ信号生成部２０７の出力に図１で説明した各構成（シーケンスジェネレータ１２１と、系列毎の乗算器１２２を追加実装する。受信部１２０ｂのデモジュレーション部２１１に、図１で説明したコリレータ１５２の機能を実装する。また、移動局１５０には、サーチ部２２１に、図１で説明したコリレータ１５２の機能を接続する。
【００３４】
図２に記載した基地局１２０の送信部１２０ａと受信部１２０ｂの信号処理にかかる構成部は、ＤＳＰ等のハードウェア構成を用いて実現できる。このほか、ＦＰＧＡ（Ｆｉｅｌｄ−Ｐｒｏｇｒａｍｍａｂｌｅ  Ｇａｔｅ  Ａｒｒａｙ）やＣＰＵ（Ｃｅｎｔｒａｌ  Ｐｒｏｃｅｓｓｉｎｇ  Ｕｎｉｔ）等のプロセッサ等を用いても実現でき、これらを組み合わせても実現することができる。ＣＰＵを用いる場合、メモリに格納された制御プログラムをＣＰＵが読み出し実行し、この際、メモリを作業領域に用いることで実現することができる。
【００３５】
また、図２に記載した移動局１５０の受信部１５０ａと送信部１５０ｂについてもＤＳＰ、ＦＰＧＡ、ＣＰＵまたはＭＰＵ（Ｍｉｃｒｏ  Ｐｒｏｃｅｓｓｉｎｇ  Ｕｎｉｔ）等のプロセッサとメモリを組み合わせたハードウェアで実現することができる。
【００３６】
図３は、実施の形態のシステムによる送信制御の処理例を示すフローチャートである。図中実線は基地局１２０が行う処理、点線は移動局１５０が行う処理を示す。
【００３７】
はじめに、基地局１２０は、イニシャルアクセス（Ｉｎｉｔｉａｌ  ａｃｃｅｓｓ）処理（ステップＳ３０１）を行う。この処理では、基地局１２０は既存のＲＲＣ（Ｒａｄｉｏ  Ｒｅｓｏｕｒｃｅ  Ｃｏｎｔｒｏｌ）メッセージにより、ＲＲＣのアイドル状態から接続状態へ遷移する既存の接続処理を行う。
【００３８】
次に、基地局１２０は、移動局１５０が送信するＲＲＣ  ＵＥ  ｃａｐａｂｉｌｉｔｙ  Ｉｎｆｏｒｍａｒｉｏｎメッセージ（ステップＳ４０７）により、移動局１５０のＭａｓｓｉｖｅＭＩＭＯの設定（ｃｏｎｆｉｇ）情報を取得する。そして、基地局１２０は、図示しないスケジューリング処理部により、ＭａｓｓｉｖｅＭＩＭＯ  ｃｏｎｆｉｇの判定処理を行う（ステップＳ３０２）。
【００３９】
そして、ＭａｓｓｉｖｅＭＩＭＯ  ｃｏｎｆｉｇが有効の場合には（ステップＳ３０２：Ｙｅｓ）、ステップＳ３０３以下の実施の形態の処理を実施する。一方、ＭａｓｓｉｖｅＭＩＭＯ  ｃｏｎｆｉｇが無効の場合には（ステップＳ３０２：Ｎｏ）、既存の伝送路推定によるビーム方向決定処理を実施する。この場合、移動局１５０がＲＳ（Ｒｅｆｅｒｅｎｃｅ  Ｓｉｇｎａｌ）から伝送路推定行列を分解して、上りリンク制御チャネルＰＵＣＣＨ（Ｐｈｙｓｉｃａｌ  Ｕｐｌｉｎｋ  Ｃｏｎｔｒｏｌ  ＣＨａｎｎｅｌ）でＰＭＩ（Ｐｒｅｃｏｄｉｎｇ  Ｍａｔｒｉｘ  Ｉｎｄｉｃａｔｏｒ）を基地局１２０にフィードバックする。
【００４０】
次に、基地局１２０は、変調部２０３により全アンテナ１２３に系列をかけた送信を行う（ステップＳ３０３）。
【００４１】
そして、移動局１５０は、基地局１２０の全アンテナ１２３にかけられた各々の系列情報（空間多重された信号）を全て受信する（ステップＳ３０４）。この処理は、基地局１２０のセル内に存在する移動局１５０がそれぞれ基地局１２０の全アンテナ１２３にかけられた各々の系列情報を全て受信する。
【００４２】
次に、移動局１５０は、全ての系列から電力最大の系列情報を特定する処理を行う（ステップＳ３０５）。この処理では、移動局１５０は、相関器を用いて、基地局１２０から受信した系列情報と既知の系列情報との相関演算を行う。そして、マッチドフィルタ１６１の出力を足し合わせることで、電力相関が最大となる最適な系列を検出する。
【００４３】
次に、移動局１５０は、ステップＳ３０５の処理により得た電力相関が最大となる最適な系列の系列情報を基地局１２０に返信する処理を行う（ステップＳ３０６）。
【００４４】
次に、基地局１２０は、移動局１５０からの系列情報を受信し、移動局１５０に対する最適系列および位相特定の処理を行う（ステップＳ３０７）。
【００４５】
次に、基地局１２０は、特定した位相に基づき最適ビーム方向を決定する処理を行う（ステップＳ３０８）。この処理は、基地局１２０の位相制御部で行う。基地局１２０は移動局からの系列情報により特定した位相をダウンリンク（Ｄｏｗｎｌｉｎｋ）の送信データに適用することにより、最適なビーム方向を決定する。
【００４６】
そして、基地局１２０と移動局１５０は、以上説明したステップＳ３０３〜ステップＳ３０８までの動作を周期的に繰り返し行うことで、移動局１５０の移動に対応し、移動後の移動局１５０に対して常に最適なビームフォーミングを照射する。
【００４７】
図４は、実施の形態のシステムによる基地局と移動局の通信接続のシーケンス図である。図３のステップＳ３０１で説明したイニシャルアクセスの処理例を説明する。図４には、既存のＲＲＣ（Ｒａｄｉｏ  Ｒｅｓｏｕｒｃｅ  Ｃｏｎｔｒｏｌ）メッセージにより、ＲＲＣのアイドル状態から接続状態への遷移を示している。
【００４８】
はじめに、基地局１２０（ｅＮＢ）のセル内に位置した移動局（ＵＥ）１５０は、ＲＡ  ｐｒｅａｍｂｌｅを基地局１２０に送信し（ステップＳ４０１）、基地局１２０は、ＲＡ  ｒｅｓｐｏｎｓｅを移動局１５０に返答する（ステップＳ４０２）。
【００４９】
次に、移動局１５０は、ＲＲＣ  ｃｏｎｎｅｃｔｉｏｎ  ｒｅｑｕｅｓｔを基地局１２０に送信し（ステップＳ４０３）、基地局１２０は、ＲＲＣ  ｃｏｎｎｅｃｔｉｏｎ  ｓｅｔｕｐを移動局１５０に送信する（ステップＳ４０４）。次に、移動局１５０は、ＲＲＣ  ｃｏｎｎｅｃｔｉｏｎ  ｓｅｔｕｐ  ｃｏｍｐｌｅｔｅを基地局１２０に送信する（ステップＳ４０５）。
【００５０】
次に、基地局１２０は、ＲＲＣ  ＵＥ  ｃａｐａｂｉｌｉｔｙ  ｅｎｑｕｉｒｙを移動局１５０に送信し（ステップＳ４０６）、移動局１５０は、ＲＲＣ  ＵＥ  ｃａｐａｂｉｌｉｔｙ  ｉｎｆｏｒｍａｔｉｏｎを基地局１２０に送信する（ステップＳ４０７）。次に、基地局１２０は、Ｓｅｃｕｒｉｔｙ  Ｍｏｄｅ  Ｃｏｍｍａｎｄを移動局１５０に送信し（ステップＳ４０８）、移動局１５０は、Ｓｅｃｕｒｉｔｙ  Ｍｏｄｅ  Ｃｏｍｍａｎｄ  ｃｏｍｐｌｅｔｅを基地局１２０に送信する（ステップＳ４０９）。
【００５１】
次に、基地局１２０は、ＲＲＣ  ｃｏｎｎｅｔｉｏｎ  ｒｅｃｏｎｆｉｇｕｒａｔｉｏｎを移動局１５０に送信し（ステップＳ４１０）、移動局１５０は、ＲＲＣ  ｃｏｎｎｅｔｉｏｎ  ｒｅｃｏｎｆｉｇｕｒａｔｉｏｎ  ｃｏｍｐｌｅｔｅを基地局１２０に送信する（ステップＳ４１１）。
【００５２】
以上により、ＲＲＣアイドル状態からＲＲＣ接続状態に遷移する既存の接続処理を行う。
【００５３】
図５は、実施の形態の基地局が行う全アンテナから異なる系列の送信を行う処理を説明する図である。図３のステップＳ３０３の処理内容を説明する。図５に示すように、基地局１２０は、全アンテナ１２３に対してそれぞれ異なる系列（直交系列）をかけ、各々異なる位相（φ１〜φ４）で送信をする。この実施の形態では、一般的に知られている下記式１のアダマール行列の定義式Ｈを用いる。
【００５４】
【数１】
2018050214.tif 000003
【００５５】
アダマール行列Ｈは、Ｈ１、Ｈ２をもとに形成され、行列のサイズは２のべき乗となる。それぞれの行は互いに直交する性質を持ち、それぞれの行をシーケンス（Ｓｅｑｕｅｎｃｅ、Ｓｅｑ．）＃１，２，３，…と記載する。
【００５６】
そして、アンテナ＃１（１２３）にはＳｅｑ．＃１を、アンテナ＃２（１２３）にはＳｅｑ．＃２を順次かける。乗算した系列信号は、同一帯域に多重され、移動体通信網１１０の空間の全方向に送信される。
【００５７】
図６は、実施の形態の移動局が行う基地局からの系列情報の受信処理を説明する図である。図３のステップＳ３０４〜ステップＳ３０６の処理内容を説明する。図６に示すように、基地局１２０のセルＡ内に存在する全移動局（ＵＥ＃１〜ＵＥ＃３）１５０は、基地局１２０の全アンテナ１２３にかけられた各々の系列（空間多重された信号）を全て受信する。
【００５８】
図６の移動局＃２（１５０）について説明すると、移動局１５０のコリレータ１５２は、マッチドフィルタ１６１のような相関器を用いて、基地局１２０から受信した系列情報と既知の系列情報との相関演算を行う。マッチドフィルタ１６１の出力を足し合わせることで電力相関が最大（最大電力）となる系列ｐｋを検出できる。ここで、直交符号を用いる場合、自移動局＃２（１５０）に対する最適な系列（Ｓｅｑ．）の信号との相関値のみが検出され、その他の系列（Ｓｅｑ．）の信号は直交性により抑圧される。
【００５９】
そして、移動局１５０は、最大電力の系列番号（Ｓｅｑ．）を示す系列情報を基地局１２０にＦｅｅｄＢａｃｋ（ＦＢ）で返信する。このＦＢにより、基地局１２０は、移動局＃２（１５０）に対する最適な系列（Ｓｅｑ．）の位相Δφ＃２を知ることができる。ここで、移動局１５０は、基地局１２０に系列番号を返信する際には、間欠的に運用中のデータ疎通を止めて返信を行うことができる。このほか、アップリンク用のＲＳであるＳｏｕｎｄｉｎｇＲＳに系列をかけることによっても最適な系列の返信を行うことができる。ＳｏｕｎｄｉｎｇＲＳは、移動局１５０が周期的に送信を行うようになっている。
【００６０】
基地局１２０は、移動局１５０から系列情報を受信した後、デモジュレーション部２１１にて最適な系列番号を取り出すことによって、移動局１５０に対する最適な位相が特定できる。これは、基地局１２０は、系列情報を送信するときに系列をかけたアンテナ１２３に固有の位相で送信しているためである。
【００６１】
そして、デモジュレーション部２１１は、基地局１２０の送信部１２０ａのプリコーディング部２０５に対し最適な系列番号（Ｓｅｑ．）をかけたアンテナ１２３の位相を通知する。これにより、基地局１２０は、系列情報をフィードバック送信した移動局１５０に対して最適なビームフォーミングを行えるようになる。
【００６２】
（既存技術と実施の形態のビーム方向決定の対比）
既存の技術により、基地局が移動局からのフィードバック情報に基づきビーム方向を決定する場合、基地局が送信したダウンリンクのＲＳを移動局で伝送路推定する必要がある。そして、移動局は、伝送路推定で得た品質情報を基地局にフィードバックし、基地局は移動局からのフィードバック情報により最適なビーム方向を決定している。
【００６３】
また、基地局が移動局からのフィードバック情報を用いずにビーム方向を決定する場合、移動局が送信したアップリンクのＲＳを基地局で伝送路推定を行い、位相特定して最適なビーム方向を決定している。
【００６４】
このように、既存のビーム方向の決定では、位相や最適なビームを決める品質情報を知るために伝送路推定が必須となる。これに対し、実施の形態によれば、伝送路推定を行わずに、最適なビーム方向を決定できる。
【００６５】
したがって、実施の形態によれば、ビーム方向を決定する場合に伝送路推定を行う必要がないため、伝送路推定にかける演算量を低減でき、演算時間の短縮化を図ることができるようになる。また、ビーム方向の決定に特殊な信号を用いることなく、ＲＳ等を用いた位相推定で簡単に行える。特に、ＭａｓｓｉｖｅＭＩＭＯ等の多数のアンテナを用いた場合でも、これら多数のアンテナを使用したビーム方向の決定にかける演算負荷を低減でき、ビーム方向を決定できるようになる。
【００６６】
（他の位相推定の方法）
次に、実施の形態の位相推定の他の方法について説明しておく。上述した実施の形態では、直交系列による位相推定を例に説明したが、系列による位相推定の他の例としては、基地局１２０が各アンテナ１２３にかける系列をＧｏｌｄ符号にする方法、Ｚａｄｏｆｆ−ｃｈｕ系列にする方法がある。これらは、アンテナ数に対して十分に相関を持たない長周期の系列であり、上記直交系列の場合と異なり他の系列の電力も検出されるため、複数の系列のなかから最大電力の系列を選択する処理が加わる。
【００６７】
図７Ａ，図７Ｂは、実施の形態の系列による位相推定の一例を説明する図表である。これら図７Ａ，図７Ｂには、ＭＡＣ  ＣＥ（Ｃｏｎｔｒｏｌ  Ｅｌｅｍｅｎｔ）を使用した系列による位相推定を示す。この方法では、移動局１５０側で系列を特定した後に、特定の系列を信号にかけずに、ＭＡＣ  ＰＤＵ（パケットデータユニット）の一部であるＭＡＣ  ＣＥに系列情報を入れて基地局１２０に送信する。
【００６８】
ＭＡＣ  ＣＥはタイプ毎にフォーマットがあり、系列情報を載せることが可能なタイプのフォーマットを示す。図７Ａの（ａ）は、「Ｓｉｄｅｌｉｎｋ  ＢＳＲ  ａｎｄ  Ｔｒｕｎｃａｔｅｄ  Ｓｉｄｅｌｉｎｋ  ＢＳＲ  ＭＡＣ  ｃｏｎｔｒｏｌ  ｅｌｅｍｅｎｔ  ｆｏｒ  ｏｄｄ  Ｎ」のフォーマット７００である。図７Ａの（ｂ）は、「Ｐｏｗｅｒ  Ｈｅａｄｒｏｏｍ  Ｒｅｐｏｒｔ  ＭＡＣ  Ｃｏｎｔｒｏｌ  Ｅｌｅｍｅｎｔ」のフォーマット７０１である。
【００６９】
図７Ｂの（ａ）は、「Ｔｉｍｉｎｇ  Ａｄｖａｎｃｅ  Ｃｏｍｍａｎｄ  ＭＡＣ  Ｃｏｎｔｒｏｌ  Ｅｌｅｍｅｎｔ」のフォーマット７０２である。図７Ｂの（ｂ）は、「Ｅｘｔｅｎｄｅｄ  Ｐｏｗｅｒ  Ｈｅａｄｒｏｏｍ  Ｒｅｐｏｒｔ  ＭＡＣ  Ｃｏｎｔｒｏｌ  Ｅｌｅｍｅｎｔ」のフォーマット７０３である。
【００７０】
これら各ＭＡＣ  ＣＥのフォーマット７００〜７０３に示すうち、「Ｒ」がＲｅｓｅｒｖｅｄ（未設定領域）であるため、この「Ｒ」７１０部分にＭＡＣ  ＣＥを載せることができる。
【００７１】
（系列による位相推定と位相回転による移動局追従の処理）
次に、系列による位相推定と位相回転による移動局追従について説明する。この処理では、基地局１２０は、上述した最適ビーム方向決定にかける処理（図３参照）を実行後に、移動する移動局１５０の追従の処理（伝送路推定を含む）を間欠的に実行する。
【００７２】
図８は、実施の形態の位相回転による移動局追従の処理例を示すフローチャートである。図中実線は基地局１２０が行う処理、点線は移動局１５０が行う処理であり、これらの処理は、図２に示した基地局１２０と移動局１５０の構成により実行することができる。
【００７３】
はじめに、基地局１２０は、ダウンリンク（Ｄｏｗｎｌｉｎｋ）ＲＳ信号の送信を行う(ステップＳ８０１）。この処理では、基地局１２０はビームフォーミング用のＤｏｗｎｌｉｎｋ  ＲＳを送信する。次に、移動局１５０は、ＲＳ伝送路推定を行う（ステップＳ８０２）。この処理は、移動局１５０に設けた伝送路推定部が行い、基地局１２０から受信したＲＳを用いて伝送路推定を実施する。
【００７４】
次に、移動局１５０は、受信品質（ＣＱＩ）の推定を行う（ステップＳ８０３）。この処理は、移動局１５０の受信品質推定部で行う。そして、移動局１５０は、算出した伝送路推定値を用いてＣＱＩを算出する。
【００７５】
次に、基地局１２０は、移動局品質情報、時間、位相を保持する（ステップＳ８０４）。基地局１２０は、移動局１５０から受信した品質情報と、時間と、時間毎の位相と、を記録する。
【００７６】
次に、基地局１２０は、移動局１５０へ送信するダウンリンクのＲＳ信号の位相を回転（ＳＷＥＥＰ）させる（ステップＳ８０５）。その後、基地局１２０は、ＲＳ信号の位相が１回転したかどうかを判定する（ステップＳ８０６）。１回転していない場合には（ステップＳ８０６：Ｎｏ）、回転した位相で同じ処理を実施する。
【００７７】
１回転した場合には（ステップＳ８０６：Ｙｅｓ）、基地局１２０は位相制御部にて記録していた時間、位相、移動局１５０から受信した品質情報から、移動局１５０毎にどの時間の位相のときにＣＱＩが最高となるかを解析することにより、最適位相特定を行う（ステップＳ８０７）。
【００７８】
図９は、実施の形態の位相回転による移動局毎の最適位相の検出処理例を説明する図である。図９の（ａ）に示すように、基地局１２０は、ＲＳ信号の位相を時間ｔ毎にΔφ分ずつ回転させる。位相を１回転させる間（時間ｔ０，ｔ１，…，ｔ７，ｔ０）、図９（ｂ）の例では２台の移動局＃１，＃２１５０は、それぞれ変化特性が異なるＣＱＩを基地局１２０に送信する。図中一点鎖線が移動局＃１、点線が移動局＃２のＣＱＩである。
【００７９】
これにより、基地局１２０は位相制御部にて記録していた時間、位相、移動局から受信したＣＱＩに基づき、移動局＃１、＃２（１５０）の最適位相を特定できる。図９（ｂ）の例では、移動局＃１（１５０）は、時間ｔ５〜ｔ６のときＣＱＩが最大であり、移動局＃２（１５０）は、時間ｔ１〜ｔ２のときＣＱＩが最大であると判断できる。これらの時間に対応する位相を判断できる。
【００８０】
図９に示した処理は、基地局１２０が図３に示した移動局１５０の位相を特定した後に、移動局１５０の移動に追従する他の方法である。図３の処理では、間欠的に位相特定を繰り返し行うことで移動局１５０の移動に追従させている。これに対し、図９に示した処理では、図３のビーム方向決定の処理を１度行った後は、図３の処理を繰り返し行うのではなく、図９の処理に切り替えて行う点が異なる。
【００８１】
図１０は、実施の形態の位相回転および速度による移動局毎の最適位相の検出処理例を示すフローチャートである。図９に示した処理を、移動局１５０に移動速度に応じて可変制御させるものである。
【００８２】
はじめに、移動局１５０は、Ｆｄ（フェージング周波数）推定を行う（ステップＳ１００１）。Ｆｄ推定の処理は既存技術であり、移動局１５０のＦｄ推定部が行い、Ｆｄ推定から得られた自移動局１５０の速度情報を基地局１２０にフィードバックする。
【００８３】
次に、基地局１２０は、移動局（ＵＥ）１５０の状態チェック処理を行う（ステップＳ１００２）。ここで基地局１２０は、移動局１５０から受け取った速度情報から位相制御部にて、移動局１５０の移動速度を判定する（ステップＳ１００３）。例えば、所定の閾値（速度）と比較して、移動局１５０の速度が閾値よりも速い場合には（ステップＳ１００３：速い）、基地局１２０の位相制御部は、移動局１５０の追従を「位相回転角大、ＣＱＩ周期小」で処理する（ステップＳ１００４）。
【００８４】
一方、移動局１５０の速度が閾値よりも遅い場合には（ステップＳ１００３：遅い）、基地局１２０の位相制御部は、移動局１５０の追従を「位相回転角小、ＣＱＩ周期大」で処理する（ステップＳ１００５）。ステップＳ１００４またはステップＳ１００５の処理後は、ステップＳ１００１の処理に戻り、同様の処理を周期的に実行する。
【００８５】
図１１は、実施の形態の位相回転および速度による移動局毎の最適位相の検出処理例を説明する図である。図１１の処理内容を説明する。移動局＃１（１５０）は、移動局１５０の速度が「速い」場合を示す。この場合、基地局１２０は、周期的に変える位相回転角Δφを大に設定し、ＣＱＩ報告周期は小に設定して位相回転を行う。
【００８６】
そして、移動局＃２（１５０）は、移動局１５０の速度が「遅い」場合を示す。この場合、基地局１２０は、周期的に変える位相回転角Δφを小に設定し、ＣＱＩ報告周期は大に設定して位相回転を行う。図示の例では、小とした位相回転角は、大とした位相回転角を分割した角度とする。基地局１２０は、以上の動作を周期的に行うことで移動局１５０の速度に応じた追従を行うことができる。
【００８７】
（移動局までの距離推定に基づく符号拡散率の制御）
以上説明した実施の形態に加えて、基地局１２０は、移動局１５０までの距離推定に基づいて、移動局１５０までの距離毎に符号拡散率を変更する構成とすることができる。
【００８８】
基地局１２０は、移動局１５０との間で行う既存のイニシャルアクセス処理（図３のステップＳ３０１）でＲＲＣアイドル状態からＲＲＣ接続状態に遷移し、疎通中に取得した各移動局１５０の送信電力を基に、基地局１２０−移動局１５０間の距離を推定する。また、基地局１２０は、使用する系列を移動局１５０までの距離に応じてグループ化する。そして、基地局１２０からの距離が遠い移動局１５０ほど、途中のフェージング等の影響で、ランダム系列の相関値がずれるため、距離が遠いグループに対しては、符号拡散率を高くする。
【００８９】
図１２は、実施の形態の基地局が行う移動局までの距離推定に基づく符号拡散率の制御を説明する図である。基地局１２０のセルＡ内の４台の移動局（＃１〜＃４）がそれぞれ基地局１２０までの距離が異なる位置であるとする。図示の例では、距離を３段階とし、基地局１２０側から「ｃｌｏｓｅ」、「ｍｉｄｄｌｅ」、「ｆａｒ」としている。
【００９０】
そして、移動局＃１（１５０）は基地局１２０との距離が一番近い「ｃｌｏｓｅ」に位置し、移動局＃２、＃３（１５０）は、中間の「ｍｉｄｄｌｅ」に位置し、移動局＃４（１５０）は基地局１２０との距離が一番遠い「ｆａｒ」に位置しているとする。
【００９１】
図１３は、実施の形態の基地局が行う移動局までの距離推定に基づく符号拡散率の設定例を示す図表である。横軸は移動局１５０の送信電力、縦軸は符号拡散率である。図１２に示した各移動局＃１〜＃４（１５０）は、距離に応じて送信電力が異なる。移動局＃１（１５０）は基地局１２０との距離が一番近く送信電力は小さい「Ｐｏｗ＃１」であり、移動局＃２、＃３（１５０）は、送信電力はほぼ同じ「Ｐｏｗ＃２，Ｐｏｗ＃３」であり、移動局＃４（１５０）は基地局１２０との距離が一番遠く送信電力は大きい「Ｐｏｗ＃４」であるとする。
【００９２】
この場合、基地局１２０は、移動局＃１（１５０）を「ｃｌｏｓｅ」にグループ化し、移動局＃２、＃３（１５０）を「ｍｉｄｄｌｅ」にグループ化し、移動局＃４（１５０）を「ｆａｒ」にグループ化する。このように、基地局１２０は、使用するランダム系列を基地局１２０からの距離、すなわち移動局１５０の位相値によってグループ化する。
【００９３】
そして、基地局１２０は、距離の遠い位相値にあるグループに属する移動局ほど符号拡散率を高くする。図示の例では、グループ「ｃｌｏｓｅ」の移動局＃１（１５０）に対する符号拡散率を２αとし、グループ「ｍｉｄｄｌｅ」の移動局＃２、＃３（１５０）に対する符号拡散率を２βとし、グループ「ｆａｒ」の移動局＃４（１５０）に対する符号拡散率を２γとする（α＜β＜γ）。
【００９４】
ビーム方向決定時、ランダム系列をかけて位相がランダムにビーム照射した場合、電波が弱め合う箇所が発生して、設計通りにビームを移動局１５０で受信させることができないポイント（平面上の座標）が生じることがある。これに対し、上記のような距離毎の符号拡散率の制御を行うことで、基地局１２０は、意図しないビームの歪みを抑えて位相を特定することが可能となる。
【００９５】
以上説明した実施の形態によれば、ビーム方向決定の処理時、伝送路推定を行わず、系列での位相推定を行う。これによって、ＭａｓｓｉｖｅＭＩＭＯにおいて膨大な演算を行うことなく、特定の移動局に対して最も適切なビーム形成を行うことができるようになる。さらに、ビーム方向の決定後、移動局の移動や速度などの状況変化にも追従することができ、スループットを向上させることができるようになる。
【００９６】
また、既存の固有値分解による伝送路推定では、セル間干渉による推定精度の劣化が顕著であり、干渉除去が重要となる。これに対し、実施の形態では、系列による伝搬遅延量を推定するため、干渉成分の影響を受けにくい特徴を有する。したがって、実施の形態によれば、セル間干渉による推定精度の劣化は、既存の固有値分解に比べて少ない。
【００９７】
なお、本実施の形態で説明した送信制御の方法は、例えば、予め用意された制御プログラムを対象機器（基地局装置）等のコンピュータ（ＣＰＵ等のプロセッサ）で実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【００９８】
上述した実施の形態に関し、さらに以下の付記を開示する。
【００９９】
（付記１）複数のアンテナと、
前記複数のアンテナ毎に異なる位相の系列を信号にかけて前記アンテナを介してエリア内の移動局装置に向けて全方向均一に電波送信する送信部と、を備え、
前記送信部は、前記移動局装置から特定の系列の情報の通知を受けて、前記移動局装置に対し前記特定の系列の位相を用いたビームフォーミングを行うことを特徴とする基地局装置。
【０１００】
（付記２）前記送信部は、前記系列の信号を間欠的に送信し、
前記移動局装置から通知された特定の系列の位相に基づくビームフォーミング行列を生成し、前記移動局装置へのビーム方向を決定することを特徴とする付記１に記載の基地局装置。
【０１０１】
（付記３）前記送信部は、前記系列として、直交系列、アンテナ数に対して十分に相関を持たない長周期のＧｏｌｄ符号、Ｚａｄｏｆｆ−ｃｈｕ系列のいずれかであることを特徴とする付記１または２に記載の基地局装置。
【０１０２】
（付記４）前記移動局装置が前記系列の受信により、空間多重信号のなかから自移動局装置に対する固有位相を検出する相関演算により電力が最大となる系列を前記特定の系列とした情報の通知を受ける受信部を備え、
前記送信部は、前記受信部が受信した前記特定の系列の情報に基づくビームフォーミングを行うことを特徴とする付記１〜３のいずれか一つに記載の基地局装置。
【０１０３】
（付記５）前記受信部は、前記移動局装置から送信されるパケットデータユニットの一部領域に格納された前記特定の系列の情報を受信することを特徴とする付記４に記載の基地局装置。
【０１０４】
（付記６）前記受信部は、前記移動局装置から間欠的にデータ疎通を止めた際、あるいは、周期的に送信するＳｏｕｎｄｉｎｇＲＳにより、前記特定の系列の情報を受信することを特徴とする付記４または５に記載の基地局装置。
【０１０５】
（付記７）前記受信部は、前記移動局装置から受けた前記特定の系列の情報をデコードし、ビームフォーミングに用いる系列を求めることを特徴とする付記４に記載の基地局装置。
【０１０６】
（付記８）前記送信部は、前記系列の信号を前記アンテナを介してエリア内の移動局装置に向けて全方向均一に電波送信する制御を周期的に繰り返すことを特徴とする付記１〜７のいずれか一つに記載の基地局装置。
【０１０７】
（付記９）前記送信部は、前記移動局装置との初期接続処理、およびデータ疎通中に取得した複数の前記移動局装置の送信電力に基づき、自基地局装置から複数の前記移動局装置間の距離を推定し、前記距離が遠い前記移動局装置に対する符号拡散率を高くすることを特徴とする付記１〜８のいずれか一つに記載の基地局装置。
【０１０８】
（付記１０）前記送信部は、前記移動局装置を距離に応じてグループ化し、当該グループごとに自基地局装置からの距離が遠いグループの符号拡散率を高くすることを特徴とする付記９に記載の基地局装置。
【０１０９】
（付記１１）前記送信部は、前記移動局装置に対するビームフォーミングを行った後、前記移動局装置の移動に対応して、前記移動局装置への送信データの位相を一定時間毎に所定位相角度で回転させ、前記移動局装置から通知された品質報告値が最良の位相回転量を決定することを特徴とする付記１〜１０のいずれか一つに記載の基地局装置。
【０１１０】
（付記１２）前記送信部は、前記移動局装置の移動速度を推定し、当該移動速度に応じた前記位相回転量、および前記移動局装置から通知を受ける受信品質の報告周期を可変することを特徴とする付記１１に記載の基地局装置。
【０１１１】
（付記１３）前記送信部および前記アンテナは、ＭａｓｓｉｖｅＭＩＭＯ方式に基づく系列数とアンテナ数を有することを特徴とする付記１〜１１のいずれか一つに記載の基地局装置。
【０１１２】
（付記１４）複数のアンテナを有する基地局装置から複数の系列の信号を受信する受信部を有し、
前記受信部は、前記基地局装置から受信した全系列の信号により、空間多重信号のなかから自移動局装置に対する固有位相を検出する相関演算により電力が最大となる特定の系列を求め、送信部を介して前記特定の系列の情報を前記基地局装置に通知することを特徴とする移動局装置。
【０１１３】
（付記１５）前記送信部は、前記基地局装置に送信するパケットデータユニットの一部領域に前記特定の系列の情報を格納することを特徴とする付記１４に記載の移動局装置。
【０１１４】
（付記１６）前記送信部は、前記基地局装置に対し間欠的にデータ疎通を止めた際、あるいは、周期的に送信するＳｏｕｎｄｉｎｇＲＳにより、前記特定の系列の情報を送信することを特徴とする付記１４または１５に記載の移動局装置。
【０１１５】
（付記１７）複数のアンテナを有しビームフォーミングする基地局装置から移動局装置への信号の送信制御方法であって、
前記基地局装置は、
前記複数のアンテナ毎に異なる位相の系列を信号にかけて前記アンテナを介してエリア内の移動局装置に向けて全方向均一に電波送信し、
前記移動局装置から特定の系列の情報の通知を受けて、前記移動局装置に対し前記特定の系列の位相を用いたビームフォーミングを行う、
ことを特徴とする送信制御方法。
【０１１６】
（付記１８）前記移動局装置は、
前記基地局装置から受信した全系列の信号により、空間多重信号のなかから自移動局装置に対する固有位相を検出する相関演算により電力が最大となる特定の系列を求め、当該特定の系列の情報を前記基地局装置に通知する、
ことを特徴とする付記１７に記載の送信制御方法。
【符号の説明】
【０１１７】
１００  システム
１１０  移動体通信網
１２０  基地局
１２０ａ，１５０ｂ  送信部
１２０ｂ，１５０ａ  受信部
１２１  シーケンスジェネレータ
１２２  乗算器
１２３，１５１，２１０  アンテナ
１５０  移動局
１５２  コリレータ
２１１  デモジュレーション部
２１２  デコード部
２１３  ターボ復号部
２１４  ＣＲＣ部
【図１】
2018050214.tif 000004
【図２】
2018050214.tif 000005
【図３】
2018050214.tif 000006
【図４】
2018050214.tif 000007
【図５】
2018050214.tif 000008
【図６】
2018050214.tif 000009
【図７Ａ】
2018050214.tif 000010
【図７Ｂ】
2018050214.tif 000011
【図８】
2018050214.tif 000012
【図９】
2018050214.tif 000013
【図１０】
2018050214.tif 000014
【図１１】
2018050214.tif 000015
【図１２】
2018050214.tif 000016
【図１３】
2018050214.tif 000017